(57)【要約】      （修正有）【課題】オゾンガスの揮発を抑えながら、洗浄・除菌を行うことができる便器装置を提供する。【解決手段】ボウル部２と、ボウル部内へ水を供給する給水部３と、ボウル部２への水の供給を制御する給水制御部とを備えた便器装置１であって、給水制御部は、ボウル部の洗浄開始時に、オゾンを含む洗浄水を前記ボウル部に供給し、その後、洗浄水よりオゾン濃度が低い封水２００をボウル部に供給する。【選択図】図３
2015028259.tif 000002
【特許請求の範囲】
【請求項１】
ボウル部と、前記ボウル部内へ水を供給する給水部と、前記ボウル部への水の供給を制御する給水制御部とを備えた便器装置であって、前記給水制御部は、前記ボウル部の洗浄開始時に、オゾンを含む洗浄水を前記ボウル部に供給し、その後、前記洗浄水よりオゾン濃度が低い封水を前記ボウル部に供給することを特徴とする便器装置。
【請求項２】
請求項１において、
前記給水部は、前記給水部は、前記洗浄水を貯留する洗浄水給水部と、前記封水を貯留する封水給水部とを備え、前記洗浄水給水部及び前記封水給水部のそれぞれにオゾンを発生させるオゾン発生部が設けられていることを特徴とする便器装置。
【請求項３】
請求項１において、
前記洗浄水及び前記封水に含まれるオゾンは、前記給水部に設けられた単一のオゾン発生部で発生させ、前記洗浄水及び前記封水のオゾン濃度は、水量を異ならせて調整することを特徴とする便器装置。
【請求項４】
請求項１〜請求項３のいずれか１項において、
前記洗浄水及び前記封水に含まれるオゾンは、水の電気分解により発生させることを特徴とする便器装置。
【請求項５】
請求項４において、
前記電気分解には、ダイヤモンド電極が用いることを特徴とする便器装置。
【請求項６】
請求項１〜請求項３のいずれか１項において、
前記洗浄水及び前記封水に含まれるオゾンは、無声放電電極により発生するオゾンガスを用いることを特徴とする便器装置。
【請求項７】
請求項６において、
前記洗浄水及び前記封水のオゾン濃度は、前記オゾンガスの吹き込み量を異ならせて調整することを特徴とする便器装置。
【請求項８】
請求項４〜請求項７のいずれか1項において、
前記洗浄水及び前記封水のオゾン濃度は、印加電圧を異ならせて調整することを特徴とする便器装置。
【請求項９】
請求項１〜請求項５のいずれか１項において、
前記ボウル部の排水時及び封水時に応じて自由端側が上下方向に反転自在とされ、前記ボウル部から延出して形成された排水路の端部に設けられたターントラップ部をさらに備え、前記封水は、前記自由端を下方向に移動させ前記ボウル部内及び前記ターントラップ部内の前記洗浄水を排水した後、前記ターントラップ部を上方向に移動させてから前記ボウル部内に供給することを特徴とする便器装置。
【発明の詳細な説明】
【技術分野】
【０００１】
本発明は、便器装置に関する。
【背景技術】
【０００２】
従来より便器装置を清潔に保つため、除菌・脱臭効果が高いとされるオゾン水を用いたものが提案されている。
例えば下記特許文献１には、洗浄タンクの内外にオゾン水生成装置を配設し、オゾン水を便器洗浄後に所定量以上流すようにしたものが記載されている。
【先行技術文献】
【特許文献】
【０００３】
【特許文献１】特開平１１−７１７９７号公報
【発明の概要】
【発明が解決しようとする課題】
【０００４】
しかしながら、オゾン水は強い酸化力を持っているが高濃度のものを用いる場合は、人体へ影響があるとされているため、揮発したオゾンガスが大量に大気中に放出されないように配慮する必要がある。特にトイレ空間のように閉塞された狭小空間では、高濃度のオゾン水が便器内に長時間封水されると、揮発して空間内のオゾンガス濃度が高まるおそれがある。
【０００５】
本発明は、上記実情に鑑みてなされたものであり、オゾンガスの揮発を抑えながら、便器装置の洗浄・除菌を行うことができる便器装置を提供することを目的としている。
【課題を解決するための手段】
【０００６】
上記目的を達成するために、本発明に係る便器装置は、ボウル部と、前記ボウル部内へ水を供給する給水部と、前記ボウル部への水の供給を制御する給水制御部とを備えた便器装置であって、前記給水制御部は、前記ボウル部の洗浄開始時に、オゾンを含む洗浄水を前記ボウル部に供給し、その後、前記洗浄水よりオゾン濃度が低い封水を前記ボウル部に供給することを特徴とする。ここで前記洗浄水は、オゾンを含んだ水をいう。またここで前記封水は、洗浄水よりもオゾン濃度が低い水をいい、単なる水道水やオゾンを含まない水も含む。
【０００７】
本発明において、前記給水部は、前記洗浄水を貯留する洗浄水給水部と、前記封水を貯留する封水給水部とを備え、前記洗浄水給水部及び前記封水給水部のそれぞれにオゾンを発生させるオゾン発生部が設けられているようにしてもよい。
また、本発明において、前記洗浄水及び前記封水に含まれるオゾンは、前記給水部に設けられた単一のオゾン発生部で発生させ、前記洗浄水及び前記封水のオゾン濃度は、水量を異ならせて調整するようにしてもよい。
【０００８】
本発明において、前記洗浄水及び前記封水に含まれるオゾンは、水の電気分解により発生させるようにしてもよい。
また本発明において、前記電気分解には、ダイヤモンド電極が用いられるようにしてもよい。
【０００９】
本発明おいて、前記洗浄水及び前記封水に含まれるオゾンは、無声放電電極により発生するオゾンガスが用いられるようにしてもよい。
また本発明において、前記洗浄水及び前記封水のオゾン濃度は、前記オゾンガスの吹き込み量を異ならせて調整するようにしてもよい。
さらに本発明において、前記洗浄水及び前記封水のオゾン濃度は、印加電圧を異ならせて調整するようにしてもよい。
【００１０】
本発明において、前記ボウル部の排水時及び封水時に応じて自由端側が上下方向に反転自在とされ、前記ボウル部から延出して形成された排水路の端部に設けられたターントラップ部をさらに備え、前記封水は、前記自由端を下方向に移動させ前記ボウル部内及び前記ターントラップ部内の前記洗浄水を排水した後、前記ターントラップ部を上方向に移動させてから前記ボウル部内に供給するようにしてもよい。
【発明の効果】
【００１１】
本発明に係る便器装置は、上述のような構成としたことで、オゾンガスの揮発を抑えながら、便器装置の洗浄・除菌を行うことができる。
【図面の簡単な説明】
【００１２】
【図１】（ａ）〜（ｃ）は本発明の実施形態に係る便器装置の一例を説明するために模式的に示す概念図である。
【図２】同便器装置の構成を説明するためのブロック図である。
【図３】同便器装置を示す模式的断面図であり、（ａ）は排水時の状態を示しており、（ｂ）は封水時の状態を示している。
【図４】同便器装置の動作例を説明するためのフローチャートである。
【図５】本実施形態に係る便器装置の他の例を説明するための図であり、（ａ）はその構成を説明するためのブロック図、（ｂ）は給水部の一例を説明するための概念図である。
【図６】本実施形態に係る便器装置の他の例を説明するための図であり、（ａ）はその構成を説明するためのブロック図、（ｂ）は給水部の一例を説明するための概念図である。
【図７】本実施形態に係る便器装置のさらに他の例を説明するための図であり、（ａ）はその構成を説明するためのブロック図、（ｂ）は給水部の一例を説明するための概念図である。
【発明を実施するための形態】
【００１３】
以下に本発明の実施の形態について、図面に基づいて説明する。
なお、以下の実施形態では、便器装置を床に設置した状態を基準として上下方向等の方向を説明する。図２（ａ）等に示すブロック図中の点線矢印は制御情報、実線矢印は水の流れを示している。
本実施形態に係る便器装置１は、ボウル部２と、ボウル部２内へ水を供給する給水部３と、ボウル部２への水の供給を制御する給水制御部４とを備えている。給水制御部４は、ボウル部２の洗浄開始時に、オゾンを含む洗浄水１００をボウル部２に供給し、その後、洗浄水１００（（以下では高濃度オゾン水１００という）よりオゾン濃度が低い封水２００（以下では低濃度オゾン水２００という）をボウル部２に供給するように制御を行う。
【００１４】
図１の（ａ）〜（ｃ）には、便器装置１の概念図を示しており、図１（ａ）は洗浄時、図１（ｂ）は排水時、図１（ｃ）は封水時の状態である。図１では、排水路８が略Ｓ字状に蛇行したトラップを備えた排水構造とした便器装置１を示している。
ここに示すように本実施形態に係る便器装置１は、使用者が用を足した後、開始指示部として洗浄スイッチ１２（図２参照）が操作され洗浄が開始されると、ボウル部２に高濃度オゾン水１００が供給される（図１（ａ）参照）。そしてボウル部２内の高濃度オゾン水１００を排水した後（図１（ｂ）参照）、ボウル部２に低濃度オゾン水２００が供給され、低濃度オゾン水２００がボウル部２内に封水される（図１（ｃ）参照）。
以下、詳しく説明する。
【００１５】
まず図２〜図４を参照しながら、説明する。ここでは排水構造としてターントラップ方式を採用した便器装置１について説明する。
図３（a）及び図３（b）には、本実施形態に係る便器装置１を具体的に示している。図例の便器装置１は  便器本体１０と、ボウル部２と、リム部２ａと、スカート部２ｂと、給排水カバー部１１とを備えている。リム部２ａは、ボウル部２の上端に周設されている。高濃度オゾン水１００及び低濃度オゾン水２００は、給水部３から給水管９ａを通じ、このリム部２ａからボウル部２の表面を流れるように供給される。スカート部２ｂはボウル部２の外周に設けられている。給排水カバー部１１は、便器本体１０の後方に設けられ、給排水カバー部１１内には、ボウル部２へ給水する給水弁９や排水部５を構成するターントラップ部５０などが設けられている。
また便器装置１は、ボウル部２内への給水を開始・停止させるため電動で開閉する給水弁９と、給水部３と給水弁９とをつなぐ給水管９ａとを備えている。
給水部３の給水制御は、ＣＰＵ等で構成された給水制御部４（図２参照）によって制御され、具体的には、給水制御部４からの駆動命令によって電動で弁を開閉する給水弁９、後記の電磁弁の開閉によって給水部３に貯留された水の給水が制御されている。
【００１６】
さらに便器装置１の排水部５は、ボウル部２から延出して形成された排水路８と、蛇腹状の中空管とされたターントラップ部５０とを備えている。ターントラップ部５０は、ゴムや柔軟な樹脂等からなり、一方端は排水路８に接続され、他方端は自由端５０ａとされている。そしてそのターントラップ部５０の自由端５０ａ側は、電動のモータＭ（図３（ａ）及び（ｂ）参照）の駆動によって上下方向に反転自在とされている。このモータＭの駆動源は洗浄スイッチ１２を駆動させる電源と同じ電源としてもよい。図中、５１はモータＭの駆動によってターントラップ部５０の自由端５０ａを回動させる回動部材である。
ターントラップ部５０は、ケース体５２で覆われており、ケース体５２の床面側は開口部５２ａが形成されており、この開口部５２ａには、下水管（不図示）につながる床側排水管５３が連結されている。ケース体５２は、下水管（不図示）からの臭い漏れを防ぐために気密性が有した構造とされることが望ましい。
ターントラップ部５０は、図３（ａ）に示すように自由端５０ａ側が上方向に位置するときは、ボウル部２の内の水の排水が堰き止められ封水状態となり、図３（ｂ）に示すように自由端５０ａ側が下方向に位置するときは、ボウル部２内の水がスムーズに排水される。
【００１７】
次に図２を参照しながら、便器装置１の給水動作の構成及び給水部３の構成を説明する。
まず便器装置１の給水動作、すなわち洗浄動作、排水動作、封水動作は洗浄スイッチ１２の操作がトリガとなる。ボウル部２には、便器内水量判定部１３を設けてもよく、この場合、便器内水量判定部１３の構成は特に限定されないが、例えばフロート方式、電極方式、超音波方式等を採用でき、ボウル部２へ貯留される水量を検知する。
給水部３は、高濃度オゾン水１００と低濃度オゾン水２００とを別々に貯留するように高濃度オゾン水１００を貯留する洗浄水給水部３０（以下では高濃度オゾン水給水部３０という）と、低濃度オゾン水２００を貯留する封水給水部３１（以下では低濃度オゾン水給水部３１という）とを備えている。高濃度オゾン水給水部３０及び低濃度オゾン水給水部３１のそれぞれには、給水制御部４によって制御される電磁弁（不図示）が設けられている。
このように高濃度オゾン水１００と低濃度オゾン水２００とを別々に貯留するようにした場合は、洗浄開始時に速やかに高濃度オゾン水１００をボウル部２へ供給することができ、その後、速やかに低濃度オゾン水２００を供給することができる。
高濃度オゾン水１００は高い除菌力を有した濃度とされたオゾン水が好適に用いられ、低濃度オゾン水２００は高濃度オゾン水よりもオゾンの濃度が低ければ単に水道水やオゾンを含まない水であってもよい。
なお、この給水部３は給排水カバー部１１内に設けるようにしてもよいし、壁面（不図示）内に設けるようにしてよい。
【００１８】
オゾンの発生方式は特に限定されないが、ここでは電気分解によりオゾンを発生させる方法について説明する。
高濃度オゾン水給水部３０及び低濃度オゾン水給水部３１のそれぞれにオゾン発生部６，６として電解装置６ａ，６ａが設けられている。
図２（ｂ）に示すように電解装置６ａは、電圧電源６１と、一対の電極６２，６３と、陽極６３と、陰極６２と陽極６３との間に設けられたイオン交換膜６０とを有している。
一対の電極６２，６３は特に限定されないが、二酸化鉛電極、白金電極、ダイヤモンド電極といった電極を用いることができる。中でもダイヤモンド電極（ＢＤＤ ： Boron Doped Diamond）を用いれば、高いオゾン電流効率が発現されるため、安定して効率よくオゾンを発生させることができる。図では、一対の電極のうち、陰極を６２、陽極を６３としている。
この電解装置６ａによれば、例えば高濃度オゾン水給水部３０に貯留された水の中に入れられたイオン交換膜６０を介して陰極６２、陽極６３に電圧をかけると、以下の反応が生じ、陽極６３ではオゾンが発生しオゾン水を得ることができる。一方陰極６２ではアルカリ水が生成される。
オゾン発生反応（陽極）：３Ｈ2Ｏ＝Ｏ3＋６Ｈ+＋６ｅ
酸素発生反応（陽極）：２Ｈ2Ｏ＝Ｏ2＋４Ｈ+＋４ｅ
水素発生反応（陰極）：２Ｈ+＋２ｅ-＝Ｈ2
【００１９】
ここで高濃度オゾン水１００，低濃度オゾン水２００のそれぞれの濃度は、後述する図６（ｂ）のように可変抵抗を設け印加電圧を異ならせて調整するようにしてもよい。また高濃度オゾン水１００，低濃度オゾン水２００のそれぞれの濃度は、同じオゾン量に対して水量で調整するようにしてもよい。
さらに一対の電極６２，６３としては、例えばダイヤモンド電極のように過電圧の高い陽極を用いた場合、高い電解電圧をかければオゾンを多く発生させることができる。
そして図２（ａ）の例では低濃度オゾン水給水部３１も同様の電解装置６ａを設けているが、低濃度オゾン水２００としてオゾンを含まない水を用いる場合は、低濃度オゾン水給水部３１に電解装置６ａを設けないようにしてもよい。
以上によれば、電解装置６ａによってオゾンを発生させ、高濃度オゾン水１００及び低濃度オゾン水２００を得ることができる。
なお、電解装置６ａの構成は図例に限定されるものではない。
【００２０】
次に図４を参照しながら、便器装置１の動作の一例を説明する。
まず便器装置１の使用者によって洗浄スイッチ１２が操作されると（Ｓ１００）、モータＭ（図３（ａ）参照）が駆動し上向きに保持されているターントラップ部５０の自由端５０ａが排水位置、すなわち下方向（図３（ｂ）参照）に移動する（Ｓ１０１）。これに連動して高濃度オゾン水給水部３０の電磁弁を開にする（Ｓ１０２）。ボウル部２には、高濃度オゾン水１００が供給され、ボウル部２内の洗浄を行う。ボウル部２内の汚水がターントラップ部５０を通じ床側排水管５３へと排水され、高濃度オゾン水１００の給水が完了したら高濃度オゾン水給水部３０の電磁弁を閉にする（Ｓ１０３、Ｓ１０４）。
このときボウル部２内は図１（ｂ）に示すように空の状態となる。
排水後、ターントラップ部５０の自由端５０ａは封水位置、すなわち上方向（図３（ａ）参照）に移動する（Ｓ１０５）。次にこれに連動して低濃度オゾン水給水部３１の電磁弁を開とし、ボウル部２へ所定量が給水される（Ｓ１０６、Ｓ１０７）。こうしてボウル部２内に低濃度オゾン水２００が封水されたら、低濃度オゾン水給水部３１の電磁弁を閉とする（Ｓ１０８）。
【００２１】
以上によれば、除菌力及び脱臭力の高い高濃度オゾン水１００でボウル部を洗浄した後、高濃度オゾン水１００よりもオゾンの濃度が低い低濃度オゾン水２００をボウル部に供給することができる。よって、洗浄時に高濃度オゾン水１００を使用するので、洗浄とともに除菌及び脱臭を行うことができる。
また低濃度オゾン水２００は、自由端５０ａを下方向に移動しボウル部２内及びターントラップ部５０内の高濃度オゾン水１００が排水され空の状態にした後、ターントラップ部５０の自由端５０ａを上方向に移動した後にボウル部２内に供給するようにしている。よって、人体へ影響があるとされている揮発したオゾンガスが大量に大気中に放出されることを防ぐことができる。また高濃度オゾン水１００と低濃度オゾン水２００とが混ざることなく、確実に異なるタイミングで高濃度オゾン水１００と低濃度オゾン水２００とをボウル部２へ供給することができる。
さらに排水構造としてターントラップ方式を採用すればボウル部２を洗浄する際の水の量を節水できるので、高濃度オゾン水給水部３０に貯留しておく高濃度オゾン水１００を大量としなくてよく、給水部３の小型化を図ることができる。
【００２２】
ここで、排水時及び封水時のボウル部２への給水制御は、上述のように高濃度オゾン水給水部３０及び低濃度オゾン水給水部３１のそれぞれから所定量を給水する制御に限定されず、所定時間を目安に行ってもよい。または図２に示すようにボウル部２に便器内水量判定部１３を設けたものとすれば、給水制御部４は、便器内水量判定部１３の判定結果に基づいて電磁弁の開閉を行うことができる。
【００２３】
次に、本実施形態に係る便器装置１の他の例について図５に基づいて説明する。
なお、以下の例では、上記した例との相違点について主に説明し、同様の構成については、同一符号を付し、その説明を省略または簡略に説明する。
この例はオゾンの発生方式が上述の例と異なり、高濃度オゾン水１００及び低濃度オゾン水２００に含まれるオゾンは、無声放電方式により発生するオゾンガスが用いられる。
この場合、給水部３には、高濃度オゾン水給水部３０及び低濃度オゾン水給水部３１のそれぞれにオゾン発生部６，６としての無声放電装置６ｂ，６ｂが設けられている。
無声放電装置６ｂは、電圧電源６１と、互いに平行に配された無声放電電極６４，６５、発生したオゾンガスが流通するオゾンガス流路６６と、水にオゾンガスが溶解してオゾン水となるオゾン水流路６７とを備えている。
【００２４】
無声放電装置６ｂ，６ｂによるオゾン発生原理は以下のとおりである。無声放電電極６４，６５間に板状の誘電体（不図示）を設け、この間に空気或いは酸素ガス等を供給する。無声放電電極６４，６５間に交流高電圧を印加すると放電現象が起こる。これにより気体中に電子が放出され、式（1）に示すように安定な酸素分子に放出された電子が衝突し酸素原子に解離される。そして式（2）に示すように３体衝突によりオゾンが発生する。
O2＋e→Ｏ＋Ｏ＋e  （1）
O＋O2＋M→03＋M  （2）
以上のように放電現象により発生する電子により酸素がオゾンに変換されオゾンガスが発生し、オゾンガス流路６６を通じてオゾン水流路６７を通じる水に溶解しオゾン水となる。
このように無声放電式による無声放電装置６ｂによれば、効率よくオゾンガスを得ることができる。
また図４を参照しながら説明したように低濃度オゾン水２００を、ボウル部２内及びターントラップ部５０内の高濃度オゾン水１００が排水され空の状態にした後、ボウル部２内に供給するようにすれば、高濃度オゾン水１００と低濃度オゾン水２００とが混ざって低濃度オゾン水の濃度が高くなってしまうことを防ぐことができる。
【００２５】
ここで高濃度オゾン水１００，低濃度オゾン水２００のそれぞれの濃度は、オゾンガスの吹き込み量を異ならせて調整するようにしてもよい。例えばオゾンガスの吹き込み量を多くすれば、高濃度オゾン水１００を生成することができる。また高濃度オゾン水１００，低濃度オゾン水２００のそれぞれの濃度は、同じオゾン量に対して水量で調整するようにしてもよい。
さらに無声放電電極６４，６５間への印加電圧を異ならせて調整するようにしてもよい。例えば高い印加電圧をかければ、オゾンガスの発生量を多くすることができるので、高濃度オゾン水１００を生成することができる。
そして低濃度オゾン水給水部３１にも同様の無声放電装置６ｂが設けられているが、低濃度オゾン水２００としてオゾンを含まない水を用いる場合は、低濃度オゾン水給水部３１に無声放電装置６ｂを設けないようにしてもよい。
以上によれば、無声放電装置６ｂによってオゾンガスを発生させれば、高濃度オゾン水１００及び低濃度オゾン水２００を得ることができる。
なお、無声放電装置６ｂの構成は図例に限定されるものではない。
【００２６】
次に、本実施形態に係る便器装置１の他の例について図６、図７に基づいて説明する。
なお、以下の例では、上記した例との相違点について主に説明し、同様の構成については、同一符号を付し、その説明を省略または簡略に説明する。
上述の例はいずれも給水部３内に高濃度オゾン水１００を貯留する高濃度オゾン水給水部３０と低濃度オゾン水２００を貯留する低濃度オゾン水給水部３１とを備えそれぞれにオゾンを発生させるオゾン発生部６，６を備えた例について説明した。以下では、高濃度オゾン水１００及び低濃度オゾン水２００に含まれるオゾンは、給水部３に設けられた単一のオゾン発生部６で発生させる例について説明する。
このように単一のオゾン発生部６を給水部３に設けたものとすれば、上述のように別々に設ける場合と比べて給水部３の小型化を図ることができる。
【００２７】
図６の例の給水部３には、電圧可変電解装置７０と、給水量調整部７１とを備えた単一のオゾン発生部６が設けられており、印加電圧もしくは水量を変化させて高濃度オゾン水１００及び低濃度オゾン水２００の濃度を調整する（図６（ａ）参照）。
具体的に電圧可変電解装置７０は、図２（ｂ）に示した電解装置６ａに印加電圧を可変する可変抵抗７０ａを加えたものである（図６（ｂ）参照）。この電圧可変電解装置７０に用いられる電極６２,６３は、図２（ｂ）で示した電解装置６ａと同様に二酸化鉛電極、白金電極、ダイヤモンド電極といった電極を用いることができ、中でもダイヤモンド電極が好適に用いられる。
また給水量調整部７１は、電磁弁で構成され、オゾンが発生する陽極６３側に設けられている。
【００２８】
以上によれば、印加電圧を高電圧とすれば多くのオゾンを発生させて高濃度オゾン水１００を生成でき、印加電圧を低電圧とすれば少ないオゾンを発生させて低濃度オゾン水２００を生成できる。また一定のオゾンを発生させて水量を少なくすれば、高濃度オゾン水１００を生成でき、同じオゾン量で水量を多くすれば、低濃度オゾン水２００を生成することができる。
なお、電圧可変電解装置７０による印加電圧の可変制御は図例の構成に限定されない。
【００２９】
図７の例の給水部３には、電圧可変無声放電装置７３と、オゾンガス流量調整部７２と、給水量調整部７１とを備えた単一のオゾン発生部６が設けられている（図７（ａ）参照
）。この例では、印加電圧、オゾンガスの吹き込み量、水量のいずれかを変化させて高濃度オゾン水１００及び低濃度オゾン水２００の濃度を調整する。
具体的に電圧可変無声放電装置７３は、図５（ｂ）に示した無声放電装置６ｂに可変抵抗を加えたものである。オゾンガスが流通するオゾンガス流路６６の下流側にオゾンガスの流量を調整する電磁弁で構成されたオゾンガス流量調整部７２が設けられている。またオゾン水流路６７の下流側には、電磁弁で構成される給水量調整部７１が設けられている。
【００３０】
以上によれば、印加電圧を高電圧とすれば多くのオゾンガスを発生させて高濃度オゾン水１００を生成でき、印加電圧を低電圧とすれば少ないオゾンガスを発生させて低濃度オゾン水２００を生成できる。またオゾンガスの吹き込み量を多くすれば、高濃度オゾン水１００を生成でき、オゾンガスの吹き込み量を少なくすれば低濃度オゾン水２００を生成することができる。さらに一定のオゾンを発生させて水量を少なくすれば、高濃度オゾン水１００を生成でき、同じオゾン量で水量を多くすれば、低濃度オゾン水２００を生成することができる。
なお、電圧可変電解装置７０による印加電圧の可変制御は図例の構成に限定されない。
【００３１】
便器装置１は本実施形態の構成に限定されるものではなくオゾンの発生方式も上述の例に限定されるものではない。また本実施形態の便器装置１は樹脂成型品等からなり、排水構造としてはターントラップ方式を採用した例について主に説明しているが、図１に示すように排水路８が略Ｓ字状に蛇行したトラップ構造であってもよい。この場合は便器本体１０を陶器製としてもよい。便器装置１の便蓋や便座の図示を省略しているが備えたものとしてもよく、床排水タイプに限定されず壁排水タイプであってもよい。洗浄スイッチ１２は壁付けのリモートコントローラに設けられていてもよいし、便器装置１に設けられていてもよい。また便器装置１は、人体の局部を洗浄・乾燥を行う洗浄ノズルや乾燥機能、便座暖房機能、アームレストを備えたものであってもよい。
【符号の説明】
【００３２】
１                      便器装置
２                      ボウル部
３                      給水部
３０                    洗浄水給水部（高濃度オゾン水給水部）
３１                    封水給水部（低濃度オゾン水給水部）
４                      給水制御部
５                      排水部
５０                    ターントラップ部
５０ａ                  自由端
６                      オゾン発生部
１００                  洗浄水（高濃度オゾン水）
２００                  封水（低濃度オゾン水）
【図１】
2015028259.tif 000003
【図２】
2015028259.tif 000004
【図３】
2015028259.tif 000005
【図４】
2015028259.tif 000006
【図５】
2015028259.tif 000007
【図６】
2015028259.tif 000008
【図７】
2015028259.tif 000009